(57)【特許請求の範囲】
【請求項１】
同一時刻および同一周波数において複数のレイヤを空間多重し、前記空間多重した複数のレイヤを基地局装置に送信する移動局装置において、
サイクリックシフトおよび直交符号系列に関する第１制御情報と前記レイヤの数を示す第２制御情報を前記基地局装置から受信する受信部と、
前記第１制御情報及び前記第２制御情報に示された前記レイヤの数に基づき、前記第２制御情報によって示される前記レイヤの数と同じ数のレイヤのそれぞれに関する復調参照信号系列のそれぞれに適用される前記サイクリックシフトおよび前記直交符号系列を識別し、前記サイクリックシフトおよび前記直交符号系列に基づき、前記復調参照信号系列のそれぞれを生成する処理部とを備え、
前記第１制御情報は、予め決められた複数の制御情報の中の一つであり、
前記複数の制御情報は、前記複数のレイヤにおける参照信号系列のすべてに同じ直交符号系列が適用されることを示す制御情報と、前記複数のレイヤにおける参照信号系列に複数の異なる直交符号系列が適用されることを示す制御情報とを含むことを特徴とする移動局装置。
【請求項２】
同一時刻および同一周波数において空間多重された複数のレイヤを移動局装置から受信する基地局装置において、
サイクリックシフトおよび直交符号系列に関する第１制御情報と前記レイヤの数を示す第２制御情報を前記移動局装置に送信する送信部を備え、
前記第１制御情報及び前記第２制御情報は、前記移動局装置が前記第２制御情報によって示される前記レイヤの数と同じ数のレイヤのそれぞれに関する復調参照信号系列に適用される前記サイクリックシフトおよび前記直交符号系列を識別するための情報であり、
前記第１制御情報は、予め決められた複数の制御情報の中の一つであり、
前記複数の制御情報は、前記複数のレイヤにおける参照信号系列のすべてに同じ直交符号系列が適用されることを示す制御情報と、前記複数のレイヤにおける参照信号系列に複数の異なる直交符号系列が適用されることを示す制御情報とを含むことを特徴とする基地局装置。
【請求項３】
同一時刻および同一周波数において複数のレイヤを空間多重し、前記空間多重した複数のレイヤを基地局装置に送信する移動局装置の通信方法であって、
サイクリックシフトおよび直交符号系列に関する第１制御情報と前記レイヤの数を示す第２制御情報を前記基地局装置から受信するステップと、
前記第１制御情報及び前記第２制御情報に示された前記レイヤの数に基づき、前記第２制御情報によって示される前記レイヤの数と同じ数のレイヤのそれぞれに関する復調参照信号系列のそれぞれに適用される前記サイクリックシフトおよび前記直交符号系列を識別し、
前記サイクリックシフトおよび前記直交符号系列に基づき、前記復調参照信号系列のそれぞれを生成するステップとを含み、
前記第１制御情報は、予め決められた複数の制御情報の中の一つであり、
前記複数の制御情報は、前記複数のレイヤにおける参照信号系列のすべてに同じ直交符号系列が適用されることを示す制御情報と、前記複数のレイヤにおける参照信号系列に複数の異なる直交符号系列が適用されることを示す制御情報とを含むことを特徴とする通信方法。
【請求項４】
同一時刻および同一周波数において空間多重された複数のレイヤを移動局装置から受信する基地局装置の通信方法であって、
サイクリックシフトおよび直交符号系列に関する第１制御情報と前記レイヤの数を示す第２制御情報を前記移動局装置に送信するステップを含み、
前記第１制御情報及び前記第２制御情報は、前記移動局装置が前記第２制御情報によって示される前記レイヤの数と同じ数のレイヤのそれぞれに関する復調参照信号系列に適用される前記サイクリックシフトおよび前記直交符号系列を識別するための情報であり、
前記第１制御情報は、予め決められた複数の制御情報の中の一つであり、
前記複数の制御情報は、前記複数のレイヤにおける参照信号系列のすべてに同じ直交符号系列が適用されることを示す制御情報と、前記複数のレイヤにおける参照信号系列に複数の異なる直交符号系列が適用されることを示す制御情報とを含むことを特徴とする通信方法。
【請求項５】
同一時刻および同一周波数において複数のレイヤを空間多重し、前記空間多重した複数のレイヤを基地局装置に送信する移動局装置に実装される集積回路であって、
サイクリックシフトおよび直交符号系列に関する第１制御情報と前記レイヤの数を示す第２制御情報を前記基地局装置から受信する機能と、
前記第１制御情報及び前記第２制御情報に示された前記レイヤの数に基づき、前記第２制御情報によって示される前記レイヤの数と同じ数のレイヤのそれぞれに関する復調参照信号系列のそれぞれに適用される前記サイクリックシフトおよび前記直交符号系列を識別し、
前記サイクリックシフトおよび前記直交符号系列に基づき、前記復調参照信号系列のそれぞれを生成する機能と、を含む一連の機能を前記移動局装置に実行させ、
前記第１制御情報は、予め決められた複数の制御情報の中の一つであり、
前記複数の制御情報は、前記複数のレイヤにおける参照信号系列のすべてに同じ直交符号系列が適用されることを示す制御情報と、前記複数のレイヤにおける参照信号系列に複数の異なる直交符号系列が適用されることを示す制御情報とを含むことを特徴とする集積回路。
【請求項６】
同一時刻および同一周波数において空間多重された複数のレイヤを移動局装置から受信する基地局装置に実装される集積回路であって、
サイクリックシフトおよび直交符号系列に関する第１制御情報と前記レイヤの数を示す第２制御情報を前記移動局装置に送信する機能を含む一連の機能を前記基地局装置に実行させ、
前記第１制御情報及び前記第２制御情報は、前記移動局装置が前記第２制御情報によって示される前記レイヤの数と同じ数のレイヤのそれぞれに関する復調参照信号系列に適用される前記サイクリックシフトおよび前記直交符号系列を識別するための情報であり、
前記第１制御情報は、予め決められた複数の制御情報の中の一つであり、
前記複数の制御情報は、前記複数のレイヤにおける参照信号系列のすべてに同じ直交符号系列が適用されることを示す制御情報と、前記複数のレイヤにおける参照信号系列に複数の異なる直交符号系列が適用されることを示す制御情報とを含むことを特徴とする集積回路。
【発明の詳細な説明】
【技術分野】
【０００１】
本発明は、基地局装置、移動局装置、無線通信方法および集積回路に関する。
【背景技術】
【０００２】
従来から、セルラー移動通信の無線アクセス方式および無線ネットワークの進化（以下、「Long Term Evolution (LTE)、または、「Evolved Universal Terrestrial Radio Access (EUTRA)」と称する。）、および、ＬＴＥより広帯域な周波数帯域を利用して、さらに高速なデータの通信を実現する無線アクセス方式および無線ネットワーク（以下、「Long Term Evolution-Advanced (LTE-A)」、または、「Advanced Evolved Universal Terrestrial Radio Access (A-EUTRA)」と称する。）が、第三世代パートナーシッププロジェクト（3rd Generation Partnership Project; 3GPP）において検討されている。
【０００３】
ＬＴＥでは、基地局装置から移動局装置への無線通信（下りリンク）の通信方式として、マルチキャリア送信である直交周波数分割多重（Orthogonal Frequency Division Multiplexing; OFDM）方式が用いられる。また、移動局装置から基地局装置への無線通信（上りリンク）の通信方式として、シングルキャリア送信であるＳＣ−ＦＤＭＡ（Single-Carrier Frequency Division Multiple Access）方式が用いられる。具体的には変調された送信信号がDFT（Discrete Fourier Transformation）により周波数領域の信号へと変換され、基地局装置により割り当てられた無線リソース（周波数リソース）にマッピングされた後、IDFT（Inverse DFT）により時間領域の信号へと変換され基地局装置へと送信される。ＬＴＥ−Ａでは、ＳＣ−ＦＤＭＡのことをＤＦＴ−ｐｒｅｃｏｄｅｄ  ＯＦＤＭとも称する。
【０００４】
ＬＴＥにおいて、下りリンクでは、同期チャネル（Synchronization Channel; SCH）、報知チャネル（Physical Broadcast Channel; PBCH）、下りリンク制御チャネル（Physical Downlink Control Channel; PDCCH）、下りリンク共用チャネル（Physical Downlink Shared Channel; PDSCH）、マルチキャストチャネル（Physical Multicast Channel; PMCH）、制御フォーマットインディケータチャネル（Physical Control Format Indicator Channel; PCFICH）、ＨＡＲＱインディケータチャネル（Physical Hybrid automatic repeat request Indicator Channel; PHICH）が割り当てられる。また、上りリンクでは、上りリンク共用チャネル（Physical Uplink Shared Channel; PUSCH）、上りリンク制御チャネル（Physical Uplink Control Channel; PUCCH）、ランダムアクセスチャネル（Physical Random Access Channel; PRACH）が割り当てられる。
【０００５】
ＬＴＥでは、ＰＵＳＣＨとＰＵＣＣＨの復調用に用いられる参照信号（Demodulation Reference signal; DMRS）がＰＵＳＣＨまたはＰＵＣＣＨと時間多重され、送信される。ＤＭＲＳは、ＳＣ−ＦＤＭＡを想定して分割された無線リソースにおいて、ＣＡＺＡＣ（Constant Amplitude and Zero Auto-Correlation）系列を用いた符号拡散が行われる。ＣＡＺＡＣ系列とは、時間領域および周波数領域において一定振幅かつ自己相関特性に優れた系列のことである。時間領域で一定振幅であることからＰＡＰＲ（Peak to Average Power Ratio）を低く抑えることが可能である。また、ＬＴＥのＤＭＲＳではＳＣ−ＦＤＭＡシンボルに時間領域でのサイクリックシフト（cyclic shift）を与えることで、同じＣＡＺＡＣ系列を用いて拡散されたＤＭＲＳをＣＤＭ（Code Division Multiplex）することができる。ただし、ＣＡＺＡＣ系列の系列長が異なる場合はＣＤＭすることができない。ＬＴＥのＤＭＲＳの生成方法は非特許文献１第５節に記載されている。
【０００６】
非特許文献２では、ＬＴＥ−Ａにおいて異なる無線リソースを割り当てた移動局装置間での上りリンクマルチユーザー空間多重（uplink multi user spatial multiplexingまたはUplink Multi User Multiple Input Multiple Output; UL MU-MIMOとも称する）を可能にするために、上記サイクリックシフトによるＣＤＭに加え、異なるＳＣ−ＦＤＭＡシンボルで送信されるＤＭＲＳに更に直交符号（例えばWalsh-Hadamard code [1, 1]と[1, -1]）を適用することを提案している。以下ではこの直交符号のことをオーソゴナルカバー（orthogonal cover）と呼称する。
【先行技術文献】
【非特許文献】
【０００７】
【非特許文献１】"3GPP TS36.211 v.8.8.0 (2009-09)”
【非特許文献２】"Uplink reference signal structure from MU-MIMO viewpoint", 3GPP TSG RAN WG1 Meeting #58bis, R1-093917, October 12-16, 2009.
【発明の概要】
【発明が解決しようとする課題】
【０００８】
しかしながら、従来の技術では、基地局装置は移動局装置にＰＤＣＣＨを用いてＤＭＲＳの時間領域でサイクリックシフトする長さを通知していたが、更にＤＭＲＳに適用するオーソゴナルカバーを通知するためには追加の制御情報が必要になり、ＰＤＣＣＨのオーバーヘッドが増加してしまうという問題があった。
【０００９】
本発明は上記の点に鑑みてなされたものであり、その目的は、基地局装置が移動局装置に割り当てたＤＭＲＳの時間領域でサイクリックシフトする長さ、およびオーソゴナルカバーを、従来と同じＰＤＣＣＨのオーバーヘッドを保ったまま柔軟に通知することのできる無線通信システム、基地局装置、移動局装置および無線通信方法を提供することを目的とする。
【課題を解決するための手段】
【００１０】
（１）上記の目的を達成するために、本発明は、以下のような手段を講じた。すなわち、本発明の基地局装置は、同一時刻および同一周波数において空間多重された複数のレイヤを移動局装置から受信する基地局装置であって、前記レイヤの数を示す第２制御情報と、前記第２制御情報によって示される前記レイヤの数と同じ数の復調参照信号系列のそれぞれに適用するサイクリックシフトおよび直交符号系列の選択のために前記移動局装置によって用いられる第１制御情報を前記移動局装置に送信する処理部を備える。
【００１１】
（２）また、本発明の移動局装置は、同一時刻および同一周波数において複数のレイヤを空間多重し、前記空間多重した複数のレイヤを基地局装置に送信する移動局装置であって、サイクリックシフトおよび直交符号系列に関する第１制御情報と前記レイヤの数を示す第２制御情報を前記基地局装置から受信する処理部と、前記第１制御情報に基づき、前記第２制御情報によって示される前記レイヤの数と同じ数の復調参照信号系列のそれぞれに適用する前記サイクリックシフトおよび前記直交符号系列を選択する処理部と、前記サイクリックシフトおよび前記直交符号系列に基づき、前記復調参照信号系列のそれぞれを生成する処理部とを備える。
【００１２】
（３）また、本発明の前記復調参照信号系列は、前記レイヤと時間分割多重される。
【００１３】
（４）また、本発明の前記復調参照信号系列は、前記レイヤが送信されるサブフレーム内の２つのＳＣ−ＦＤＭＡシンボルにおいて送信される。
【００１４】
（５）また、本発明の前記復調参照信号系列に関する情報のビット数は、予め決められた値である。
【００１５】
（６）また、本発明の移動局装置は、前記復調参照信号系列に関する情報が第１のコードポイントの場合には、前記選択された直交符号系列は全て同じ直交符号系列であり、前記復調参照信号系列に関する情報が第２のコードポイントの場合には、前記選択された直交符号系列は２種類の直交符号系列を含む。
【００１６】
（７）また、本発明の前記選択された直交符号系列は、それぞれは異なる値である。
【００１７】
（８）また、本発明の無線通信方法は、同一時刻および同一周波数において空間多重された複数のレイヤを移動局装置から受信する基地局装置に用いられる無線通信方法であって、前記レイヤの数を示す第２制御情報と、前記第２制御情報によって示される前記レイヤの数と同じ数の復調参照信号系列のそれぞれに適用するサイクリックシフトおよび直交符号系列の選択のために前記移動局装置によって用いられる第１制御情報を前記移動局装置に送信する。
【００１８】
（９）また、本発明の無線通信方法は、同一時刻および同一周波数において複数のレイヤを空間多重し、前記空間多重した複数のレイヤを基地局装置に送信する移動局装置に用いられる無線通信方法であって、サイクリックシフトおよび直交符号系列に関する第１制御情報と前記レイヤの数を示す第２制御情報を前記基地局装置から受信し、前記第１制御情報に基づき、前記第２制御情報によって示される前記レイヤの数と同じ数の復調参照信号系列のそれぞれに適用する前記サイクリックシフトおよび前記直交符号系列を選択し、前記サイクリックシフトおよび前記直交符号系列に基づき、前記復調参照信号系列のそれぞれを生成する。
【００１９】
（１０）また、本発明の集積回路は、同一時刻および同一周波数において空間多重された複数のレイヤを移動局装置から受信する基地局装置に実装される集積回路であって、前記レイヤの数を示す第２制御情報と、前記第２制御情報によって示される前記レイヤの数と同じ数の復調参照信号系列のそれぞれに適用するサイクリックシフトおよび直交符号系列の選択のために前記移動局装置によって用いられる第１制御情報を前記移動局装置に送信する機能を、前記基地局装置に発揮させる。
【００２０】
（１１）また、本発明の集積回路は、同一時刻および同一周波数において複数のレイヤを空間多重し、前記空間多重した複数のレイヤを基地局装置に送信する移動局装置に実装される集積回路であって、サイクリックシフトおよび直交符号系列に関する第１制御情報と前記レイヤの数を示す第２制御情報を前記基地局装置から受信する機能と、前記第１制御情報に基づき、前記第２制御情報によって示される前記レイヤの数と同じ数の復調参照信号系列のそれぞれに適用する前記サイクリックシフトおよび前記直交符号系列を選択する機能と、前記サイクリックシフトおよび前記直交符号系列に基づき、前記復調参照信号系列のそれぞれを生成する機能を、前記移動局装置に発揮させる。
【発明の効果】
【００２１】
本発明によれば、基地局装置が移動局装置に割り当てたＤＭＲＳの時間領域でサイクリックシフトする長さ、およびオーソゴナルカバーを、従来と同じＰＤＣＣＨのオーバーヘッドを保ったまま柔軟に通知することができる。
【図面の簡単な説明】
【００２２】
【図１】本実施形態に係る無線通信システムの概念図である。
【図２】本実施形態に係る上りリンクの無線フレームの構成の一例を示す概略図である。
【図３】本実施形態に係るＤＭＲＳの構成の一例を示す概略図である。
【図４】本実施形態に係る基地局装置３の構成を示す概略ブロック図である。
【図５】本実施形態に係る空間多重系列数と直交リソースとコードポイントの対応表の一例を示す図である。
【図６】本実施形態に係る移動局装置１の構成を示す概略ブロック図である。
【図７】本実施形態に係る基地局装置３の動作の一例を示すフローチャートである。
【図８】本実施形態に係る移動局装置１の動作の一例を示すフローチャートである。
【発明を実施するための形態】
【００２３】
以下、本発明の実施形態について図面を参照して説明する。
【００２４】
図１は、本実施形態に係る無線通信システムの概念図である。図１において、無線通信システムは、移動局装置１Ａ〜１Ｃ、および基地局装置３を具備する。移動局装置１Ａ〜１Ｃと基地局装置３とは、後述する周波数帯域集約を用いた通信を行なう。
【００２５】
図１は、基地局装置３から移動局装置１Ａ〜１Ｃへの無線通信（下りリンク）では、同期チャネル（Synchronization Channel; SCH）、下りリンク参照信号（Downlink Reference Signal; DL RS）、報知チャネル（Physical Broadcast Channel; PBCH）、下りリンク制御チャネル（Physical Downlink Control Channel; PDCCH）、下りリンク共用チャネル（Physical Downlink Shared Channel; PDSCH）、マルチキャストチャネル（Physical Multicast Channel; PMCH）、制御フォーマットインディケータチャネル（Physical Control Format Indicator Channel; PCFICH）、ＨＡＲＱインディケータチャネル（Physical Hybrid ARQ Indicator Channel; PHICH）が割り当てられることを示す。
【００２６】
また、図１は、移動局装置１Ａ〜１Ｃから基地局装置３への無線通信（上りリンク）では、上りリンク参照信号（Uplink Reference Signal; UL RS）、上りリンク制御チャネル（Physical Uplink Control Channel; PUCCH）、上りリンク共用チャネル（Physical Uplink Shared Channel; PUSCH）、ランダムアクセスチャネル（Physical Random Access Channel; PRACH）が割り当てられることを示す。上りリンク参照信号には、ＰＵＳＣＨ、またはＰＵＣＣＨと時間多重されて送信され、ＰＵＳＣＨとＰＵＣＣＨの伝搬路補償に用いられるＤＭＲＳ（Demodulation Reference Signal）と、基地局装置３が上りリンクの伝搬路の状況を推定するのに用いられるＳＲＳ（Sounding Reference Signal）がある。以下、移動局装置１Ａ〜１Ｃを移動局装置１という。
【００２７】
＜上りリンク無線フレームについて＞
図２は、本実施形態に係る上りリンクの無線フレームの構成の一例を示す概略図である。図２において、横軸は時間領域、縦軸は周波数領域である。図２に示すように、上りリンクの無線フレームは、複数の上りリンクの物理リソースブロック（Physical Resource Block; PRB）ペア（例えば、図２の破線で囲まれた領域）から構成されている。この上りリンクの物理リソースブロックペアは、無線リソースの割り当てなどの単位であり、予め決められた幅の周波数帯（ＰＲＢ帯域幅；１８０ｋＨｚ）および時間帯（２個のスロット＝１個のサブフレーム；１ｍｓ）からなる。  １個の上りリンクの物理リソースブロックペアは、時間領域で連続する２個の上りリンクの物理リソースブロック（ＰＲＢ帯域幅×スロット）から構成される。１個の上りリンクの物理リソースブロック（図２において、太線で囲まれている単位）は、周波数領域において１２個のサブキャリア（１５ｋＨｚ）から構成され、時間領域において７個のＳＣ−ＦＤＭＡシンボル（７１μｓ）から構成される。
【００２８】
時間領域においては、７個のＳＣ−ＦＤＭＡ（Single-Carrier Frequency Division Multiple Access）シンボル（７１μｓ）から構成されるスロット（０．５ｍｓ）、２個のスロットから構成されるサブフレーム（１ｍｓ）、１０個のサブフレームから構成される無線フレーム（１０ｍｓ）がある。周波数領域においては、上りリンクキャリア要素の帯域幅に応じて複数の上りリンクの物理リソースブロックが配置される。尚、１個のサブキャリアと１個のＳＣ−ＦＤＭＡシンボルから構成されるユニットを上りリンクのリソースエレメントと称する。
【００２９】
以下、上りリンクの無線フレーム内に割り当てられるチャネルについて説明をする。上りリンクの各サブフレームでは、例えば、ＰＵＣＣＨ、ＰＵＳＣＨ、およびＤＭＲＳが割り当てられる。
【００３０】
まず、ＰＵＣＣＨについて説明をする。ＰＵＣＣＨは、上りリンクキャリア要素の帯域幅の両端の上りリンクの物理リソースブロックペア（左斜線でハッチングされた領域）に割り当てられる。ＰＵＣＣＨには、下りリンクのチャネル品質を示すチャネル品質情報（Channel Quality Information）、上りリンクの無線リソースの割り当ての要求を示すスケジューリング要求（Scheduling Request; SR）、ＰＤＳＣＨに対するＡＣＫ／ＮＡＣＫなど、通信の制御に用いられる情報である上りリンク制御情報（Uplink Control Information; UCI）の信号が配置される。
【００３１】
次に、ＰＵＳＣＨについて説明をする。ＰＵＳＣＨは、ＰＵＣＣＨが配置される上りリンクの物理リソースブロック以外の上りリンクの物理リソースブロックペア（ハッチングされない領域）に割り当てられる。ＰＵＳＣＨには、上りリンク制御情報、および上りリンク制御情報以外の情報であるデータ情報（トランスポートブロック; Transport Block）の信号が配置される。ＰＵＳＣＨの無線リソースは、ＰＤＣＣＨで送信される下りリンク制御情報（Downlink Control Information; DCI）を用いて割り当てられ、この下りリンク制御情報を含むＰＤＣＣＨを受信したサブフレームから所定の時間後のサブフレームの上りリンクのサブフレームにＰＵＳＣＨが配置される。
【００３２】
ＰＵＳＣＨの無線リソースの割り当てを示す下りリンク制御情報を上りリンクグラント（Uplink grant）とも称する。また、上りリンクグラントにはＰＵＳＣＨに上りリンクマルチユーザー空間多重（uplink multi user spatial multiplexingまたはUplink Multi User Multiple Input Multiple Output; UL MU-MIMOとも称する）および／または上りリンクシングルユーザー空間多重（uplink single user spatial multiplexingまたはUplink Single User Multiple Input Multiple Output; UL SU-MIMOとも称する）を適用する際の空間多重系列数（ｒａｎｋ、またはレイヤ数とも称する。）を示す情報（第２制御情報）とＰＵＳＣＨと時間多重されるＤＭＲＳに用いる直交リソースを示す情報（第１制御情報）などが含まれる。なお、直交リソースとはDMRSに適用するサイクリックシフトとオーソゴナルカバーの組み合わせのことを表す。
【００３３】
ＵＬ  ＳＵ−ＭＩＭＯは、単一の移動局装置が複数の送信アンテナから同一時刻、同一周波数で異なる系列のデータ（以下、これをレイヤ（layer）と称する）を送信し、基地局装置が受信時に送受の伝搬路の違いを利用してそれぞれの系列のデータを復調・分離することで通信の高速化を実現する技術である。また、ＵＬ  ＭＵ−ＭＩＭＯは、複数の移動局装置が同一時刻、同一周波数でデータを送信し、基地局装置が受信時に各移動局装置が送信した１つ以上の系列のデータを分離することで周波数利用効率を向上させる技術である。ＳＵ−ＭＩＭＯ、ＭＵ−ＭＩＭＯでは、それぞれの送信アンテナおよび受信アンテナに対応した伝搬路情報が受信機において既知である必要がある。このため、ＳＵ−ＭＩＭＯ、ＭＵ−ＭＩＭＯでは空間多重される系列数（以下、これをランク（rank）と称する）と少なくとも同数の系列の直交したＤＭＲＳが送信される。以下、この参照信号の系列のことをポートと称する。
【００３４】
上りリンク参照信号は、ＰＵＣＣＨやＰＵＳＣＨと時間多重される。図３は、本実施形態に係るＤＭＲＳの構成の一例を示す概略図である。図３において、横軸は時間領域、縦軸は周波数領域であり、一つのポートに着目した場合のＤＭＲＳの生成と時間領域、周波数領域に対するマッピングを示している。図３に示すように、ＤＭＲＳは時間領域においてサブフレーム内の４番目と１１番目のＳＣ−ＦＤＭＡシンボルに配置され、周波数領域において、ＰＵＳＣＨと同じ周波数に配置される。
【００３５】
また、ＤＭＲＳは同じ移動局装置１から送信されるポート毎および／または異なる移動局装置から送信されるポート毎に直交リソースが割り当てられる。図３に示すように、ＤＭＲＳのＣＡＺＡＣ系列に対してサブキャリア毎に位相を回転させることでＤＦＴ後のＳＣ−ＦＤＭＡシンボルに時間領域でのサイクリックシフトを与えること、および４番目のＤＭＲＳと１１番目のＤＭＲＳの配置するＣＡＺＡＣ系列にオーソゴナルカバーを乗算することで、ＤＭＲＳを直交させる。尚、時間領域でのサイクリックシフトではＣＡＺＡＣ系列が同じである場合にしか完全直交しないため、異なるＣＡＺＡＣ系列を利用して生成されたＤＭＲＳが多重された場合には、オーソゴナルカバーによってのみ完全直交特性が確保される。
【００３６】
＜基地局装置３の構成について＞
図４は、本実施形態に係る基地局装置３の構成を示す概略ブロック図である。図示するように、基地局装置３は、上位層処理部３０１、制御部３０３、受信部３０５、送信部３０７、伝搬路測定部３０９、および、送受信アンテナ、を含んで構成される。また、上位層処理部３０１は、無線リソース制御部３０１１と空間多重系列数／直交リソース設定部３０１３と記憶部３０１５を含んで構成される。また、受信部３０５は、復号化部３０５１、復調部３０５３、多重分離部３０５５と無線受信部３０５７を含んで構成される。また、送信部３０７は、符号化部３０７１、変調部３０７３、多重部３０７５、無線送信部３０７７と下りリンク参照信号生成部３０７９を含んで構成される。
【００３７】
上位層処理部３０１は、下りリンクキャリア要素毎のデータ情報を、送信部３０７に出力する。また、上位層処理部３０１は、パケットデータ統合プロトコル（Packet Data Convergence Protocol; PDCP）層、無線リンク制御（Radio Link Control; RLC）層、無線リソース制御（Radio Resource Control; RRC）層の処理を行う。
【００３８】
上位層処理部３０１が備える無線リソース制御部３０１１は、各下りリンクキャリア要素の各チャネルに配置する情報を生成、又は上位ノードから取得し、送信部３０７に出力する。また、無線リソース制御部３０１１は、上りリンクの無線リソースの中から、移動局装置１がＰＵＳＣＨ（データ情報）を配置する無線リソースを割り当てる。また、無線リソース制御部３０１１は、下りリンクの無線リソースの中から、移動局装置１に対するＰＤＳＣＨ（データ情報）を配置する無線リソースを割り当てる。また、無線リソース制御部３０１１は、当該無線リソースの割り当てを示す下りリンク制御情報（例えば、上りリンクグラントなど）を生成し、送信部３０７を介して移動局装置１に送信する。また、無線リソース制御部３０１１は、上りリンクグラントを生成する際に、空間多重系列数／直交リソース設定部３０１３から入力された空間多重系列数を示す情報（第２制御情報）とＰＵＳＣＨと時間多重されるＤＭＲＳに用いる直交リソースを示す情報（第１制御情報）を上りリンクグラントに含める。
【００３９】
また、無線リソース制御部３０１１は、移動局装置１からＰＵＣＣＨで通知された上りリンク制御情報（ＡＣＫ／ＮＡＣＫ、チャネル品質情報、スケジューリング要求）、および移動局装置１から通知されたバッファの状況や無線リソース制御部３０１１が設定した移動局装置１各々の各種設定情報に基づき、受信部３０５および送信部３０７の制御を行うために制御情報を生成し、制御部３０３に出力する。
【００４０】
空間多重系列数／直交リソース設定部３０１３は、伝搬路測定部３０９から入力された伝搬路の推定値から、移動局装置１がＰＵＳＣＨを送信する際に用いるデータの空間多重系列数を設定し、移動局装置１がＰＵＳＣＨと共に送信するＤＭＲＳに用いる直交リソースをポート毎に設定する。尚、空間多重系列数／直交リソース設定部３０１３は、ＤＭＲＳに用いる直交リソースのサイクリックシフトとオーソゴナルカバーの組合せを記憶部３０１５が記憶している表の組合せの中から選択する。また、空間多重系列数／直交リソース設定部３０１３は、移動局装置１に設定した空間多重系列数を示す情報（第２制御情報）とＰＵＳＣＨと時間多重されるＤＭＲＳに用いる直交リソースを示す情報（第１制御情報）を生成し、無線リソース制御部３０１１に出力する。
【００４１】
記憶部３０１５は、空間多重系列数（ランク）とポート毎に割り当てるＤＭＲＳに用いる直交リソースが対応する直交リソースを示す情報のコードポイント（またはコードワード、ビット系列とも称する。）の対応を表の形で記憶している。図５は、本実施形態に係る空間多重系列数と直交リソースとコードポイントの対応表の一例を示す図である。尚、時間領域でのサイクリックシフトの長さは、周波数領域で乗算されるサブキャリア毎の位相回転量として記載している。
【００４２】
図５（ａ）は、空間多重系列数が１の場合に空間多重系列数／直交リソース設定部３０１３が設定することのできるＤＭＲＳに用いる直交リソースの組合せと、当該組合せが対応するコードポイントを示す表である。例えば、空間多重系列数／直交リソース設定部３０１３が、移動局装置１に対して空間多重系列数を１、サイクリックシフトを０、オーソゴナルカバーを[１，１]と設定した場合、空間多重系列数／直交リソース設定部３０１３が直交リソースを示す情報に配置するコードワードとして「０００」を生成する。
【００４３】
図５（ｂ）は、空間多重系列数が２の場合に空間多重系列数／直交リソース設定部３０１３が設定することのできるＤＭＲＳに用いる直交リソースの組合せと、当該組合せが対応するコードポイントを示す表である。例えば、空間多重系列数／直交リソース設定部３０１３が、移動局装置１に対して空間多重系列数を２、ポート１のサイクリックシフトを０、オーソゴナルカバーを[１，１]、ポート２のサイクリックシフトをπ、オーソゴナルカバーを[１，１]と設定した場合、空間多重系列数／直交リソース設定部３０１３が直交リソースを示す情報に配置するコードワードとして「０００」を生成する。
【００４４】
図５（ｃ）は、空間多重系列数が３の場合に空間多重系列数／直交リソース設定部３０１３が設定することのできるＤＭＲＳに用いる直交リソースの組合せと、当該組合せが対応するコードポイントを示す表である。例えば、空間多重系列数／直交リソース設定部３０１３が、移動局装置１に対して空間多重系列数を３、ポート１のサイクリックシフトを０、オーソゴナルカバーを[１，１]、ポート２のサイクリックシフトをπ／２、オーソゴナルカバーを[１，−１]、ポート３のサイクリックシフトをπ、オーソゴナルカバーを[１，１]と設定した場合、空間多重系列数／直交リソース設定部３０１３が直交リソースを示す情報に配置するコードワードとして「０００」を生成する。
【００４５】
図５（ｄ）は、空間多重系列数が４の場合に空間多重系列数／直交リソース設定部３０１３が設定することのできるＤＭＲＳに用いる直交リソースの組合せと、当該組合せが対応するコードポイントを示す表である。例えば、空間多重系列数／直交リソース設定部３０１３が、移動局装置１に対して空間多重系列数を４、ポート１のサイクリックシフトを０、オーソゴナルカバーを[１，１]、ポート２のサイクリックシフトをπ／２、オーソゴナルカバーを[１，−１]、ポート３のサイクリックシフトをπ、オーソゴナルカバーを[１，１]、ポート４のサイクリックシフトを３π／２、オーソゴナルカバーを[１，−１]と設定した場合、空間多重系列数／直交リソース設定部３０１３が直交リソースを示す情報に配置するコードワードとして「０００」を生成する。
【００４６】
つまり、空間多重系列数／直交リソース設定部３０１３は、移動局装置１に設定したランクと直交リソースの組合せから、直交リソースを示す情報に配置するコードポイントを選択する。尚、図５で説明したように、直交リソースを示す情報が同じコードポイントであっても、空間多重系列数によってコードポイントの解釈が異なる。
【００４７】
制御部３０３は、上位層処理部３０１からの制御情報に基づいて、受信部３０５、および送信部３０７の制御を行う制御信号を生成する。制御部３０３は、生成した制御信号を受信部３０５、および送信部３０７に出力して受信部３０５、および送信部３０７の制御を行う。
【００４８】
受信部３０５は、制御部３０３から入力された制御信号に従って、送受信アンテナを介して移動局装置１から受信した受信信号を分離、復調、復号し、復号した情報を上位層処理部３０１に出力する。無線受信部３０５７は、送受信アンテナを介して受信した各上りリンクの信号を、中間周波数に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部３０５７は、変換したディジタル信号からガードインターバル（Guard Interval; GI）に相当する部分を除去する。無線受信部３０５７は、ガードインターバルを除去した信号に対して高速フーリエ変換（Fast Fourier Transform; FFT）を行い、周波数領域の信号を抽出し多重分離部３０５５に出力する。
【００４９】
多重分離部３０５５は、無線受信部３０５７から入力された信号を、ＰＵＣＣＨ、ＰＵＳＣＨ、上りリンク参照信号（ＤＭＲＳ、ＳＲＳ）などの信号に、それぞれ分離する。尚、この分離は、予め基地局装置３が決定して各移動局装置１に通知した上りリンクグラントに含まれる無線リソースの割当情報に基づいて行われる。また、多重分離部３０５５は、分離したＰＵＳＣＨと上りリンク参照信号（ＤＭＲＳ、ＳＲＳ）を伝搬路測定部３０９に出力する。また、多重分離部３０５５は、伝搬路測定部３０９から入力された上りリンクの伝搬路の推定値から、ＰＵＣＣＨおよび／またはＰＵＳＣＨの伝搬路補償を行なう。
【００５０】
また、多重分離部３０５５は、ＰＵＳＣＨにＵＬ  ＳＵ−ＭＩＭＯおよび／またはＵＬ  ＭＵ−ＭＩＭＯが適用されており、同一時刻、同一周波数に２つ以上のポートでデータが空間多重されていれば、それぞれのポートのデータが空間多重されている時間、周波数位置を分離し、更にそれぞれのポートのデータを分離する。
【００５１】
復調部３０５３は、ＰＵＳＣＨを逆離散フーリエ変換（Inverse Discrete Fourier Transform; IDFT）し、変調シンボルを取得し、ＰＵＣＣＨとＰＵＳＣＨの変調シンボルそれぞれに対して、２位相偏移変調（Binary Phase Shift Keying; BPSK）、４相位相偏移変調（Quadrature Phase Shift Keying; QPSK）、１６値直交振幅変調（16Quadrature Amplitude Modulation; 16QAM）、６４値直交振幅変調（64Quadrature Amplitude Modulation; 64QAM）等の予め定められた、または基地局装置３が移動局装置１各々に上りリンクグラントで予め通知した変調方式を用いて受信信号の復調を行なう。
【００５２】
復号化部３０５１は、復調したＰＵＣＣＨとＰＵＳＣＨの符号化ビットを、予め定められた符号化方式の、予め定められた、又は基地局装置３が移動局装置１に上りリンクグラントで予め通知した符号化率で復号を行ない、復号したデータ情報と、上りリンク制御情報を上位層処理部３０１へ出力する。
【００５３】
伝搬路測定部３０９は、多重分離部３０５５から入力されたＰＵＳＣＨと上りリンク参照信号（ＤＭＲＳ、ＳＲＳ）から伝搬路の状況を推定し、推定した伝搬路の推定値を多重分離部３０５５と上位層処理部３０１に出力する。
【００５４】
送信部３０７は、制御部３０３から入力された制御信号に従って、下りリンク参照信号を生成し、上位層処理部３０１から入力されたデータ情報、下りリンク制御情報を符号化、および変調し、ＰＤＣＣＨ、ＰＤＳＣＨ、および下りリンク参照信号を多重して、送受信アンテナを介して移動局装置１に信号を送信する。
【００５５】
符号化部３０７１は、上位層処理部３０１から入力された下りリンクキャリア要素各々の下りリンク制御情報、およびデータ情報を、ターボ符号化、畳込み符号化、ブロック符号化等の符号化を行う。変調部３０７３は、符号化部３０７１から入力された符号化ビットをＱＰＳＫ、１６ＱＡＭ、６４ＱＡＭ等の変調方式で変調する。下りリンク参照信号生成部３０７９は、基地局装置３を識別するためのセル識別子（Cell ID）などを基に予め定められた規則で求まる、移動局装置１が既知の系列を下りリンク参照信号として生成する。多重部３０７５は、変調した各チャネルと生成した下りリンク参照信号を多重する。
【００５６】
無線送信部３０７７は、多重した変調シンボルを逆高速フーリエ変換（Inverse Fast Fourier Transform; IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送受信アンテナに出力して送信する。
【００５７】
＜移動局装置１の構成について＞
図６は、本実施形態に係る移動局装置１の構成を示す概略ブロック図である。図示するように、移動局装置１は、上位層処理部１０１、制御部１０３、受信部１０５、送信部１０７、および、送受信アンテナ、を含んで構成される。また、上位層処理部１０１は、無線リソース制御部１０１１、空間多重系列数／直交リソース識別部と記憶部１０１５を含んで構成される。また、受信部１０５は、復号化部１０５１、復調部１０５３、多重分離部１０５５と無線受信部１０５７を含んで構成される。また、送信部１０７は、符号化部１０７１、変調部１０７３、多重部１０７５、無線送信部１０７７と下りリンク参照信号生成部３０７９を含んで構成される。
【００５８】
上位層処理部１０１は、ユーザの操作等により生成された上りリンクのデータ情報を、送信部１０７に出力する。また、上位層処理部１０１は、パケットデータ統合プロトコル層、無線リンク制御層、無線リソース制御層の処理を行う。
【００５９】
上位層処理部１０１が備える無線リソース制御部１０１１は、自装置の各種設定情報の管理を行なう。また、無線リソース制御部１０１１は、上りリンクの各チャネルに配置する情報を生成し、送信部１０７に出力する。無線リソース制御部１０１１は、基地局装置３からＰＤＣＣＨで通知された下りリンク制御情報（例えば、上りリンクグラントなど）、および無線リソース制御部１０１１が管理する自装置の各種設定情報に基づき、受信部１０５、および送信部１０７の制御を行うために制御情報を生成し、制御部１０３に出力する。
【００６０】
上位層処理部１０１が備える空間多重系列数／直交リソース識別部は、上りリンクグラントに含まれる空間多重系列数を示す情報から空間多重系列数を識別する。また、空間多重系列数／直交リソース識別部は記憶部１０１５を参照し、上りリンクグラントに含まれる空間多重系列数を示す情報とＤＭＲＳに用いる直交リソースを示す情報に基づきＤＭＲＳに用いる直交リソースを識別する。また、空間多重系列数／直交リソース識別部はＰＵＳＣＨを当該識別した空間多重系列数として送信するよう、またＰＵＳＣＨと時間多重するＤＭＲＳを識別した直交リソースに配置するよう送信部１０７の制御を行なうために制御情報を生成し、制御部１０３に出力する。
【００６１】
上位層処理部１０１が備える記憶部１０１５は、基地局装置の記憶部１０１５が記憶している空間多重系列数と直交リソースとコードポイントの対応表と同じ対応表を記憶している。例えば、空間多重系列数を示す情報が１を示しており、ＤＭＲＳに用いる直交リソースを示す情報のコードワードが「０００」の場合、図５（ａ）の対応表から、ＤＭＲＳに用いる直交リソースのサイクリックシフトが０、オーソゴナルカバーが[１，１]と識別することができる。
【００６２】
また、空間多重系列数を示す情報が２を示しており、ＤＭＲＳに用いる直交リソースを示す情報のコードワードが「０００」の場合、図５（ｂ）の対応表から、ポート１のＤＭＲＳに用いる直交リソースのサイクリックシフトが０、オーソゴナルカバーが[１，１]、ポート２のＤＭＲＳに用いる直交リソースのサイクリックシフトがπ、オーソゴナルカバーが[１，−１]と識別することができる。
【００６３】
また、空間多重系列数を示す情報が３を示しており、ＤＭＲＳに用いる直交リソースを示す情報のコードワードが「０００」の場合、図５（ｃ）の対応表から、ポート１のＤＭＲＳに用いる直交リソースのサイクリックシフトが０、オーソゴナルカバーが[１，１]、ポート２のＤＭＲＳに用いる直交リソースのサイクリックシフトがπ／２、オーソゴナルカバーが[１，−１]、ポート３のＤＭＲＳに用いる直交リソースのサイクリックシフトがπ、オーソゴナルカバーが[１，１]と識別することができる。
【００６４】
また、空間多重系列数を示す情報が４を示しており、ＤＭＲＳに用いる直交リソースを示す情報のコードワードが「０００」の場合、図５（ｄ）の対応表から、ポート１のＤＭＲＳに用いる直交リソースのサイクリックシフトが０、オーソゴナルカバーが[１，１]、ポート２のＤＭＲＳに用いる直交リソースのサイクリックシフトがπ／２、オーソゴナルカバーが[１，−１]、ポート３のＤＭＲＳに用いる直交リソースのサイクリックシフトがπ、オーソゴナルカバーが[１，１]、ポート４のＤＭＲＳに用いる直交リソースのサイクリックシフトが３π／２、オーソゴナルカバーが[１，−１]と識別することができる。
【００６５】
制御部１０３は、上位層処理部１０１からの制御情報に基づいて、受信部１０５、および送信部１０７の制御を行う制御信号を生成する。制御部１０３は、生成した制御信号を受信部１０５、および送信部１０７に出力して受信部１０５、および送信部１０７の制御を行う。
【００６６】
受信部１０５は、制御部１０３から入力された制御信号に従って、送受信アンテナを介して基地局装置３から受信した受信信号を、分離、復調、復号し、復号した情報を上位層処理部１０１に出力する。
【００６７】
無線受信部１０５７は、各受信アンテナを介して受信した各上りリンクキャリア要素の信号を、中間周波数に変換し（ダウンコンバート）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバルに相当する部分を除去し、ガードインターバルを除去した信号に対して高速フーリエ変換を行い、周波数領域の信号を抽出する。
【００６８】
多重分離部１０５５は、抽出した信号をＰＤＣＣＨ、ＰＤＳＣＨ、および下りリンク参照信号に、それぞれ分離する。尚、この分離は、下りリンク制御情報で通知された無線リソースの割り当て情報などに基づいて行われる。また、多重分離部１０５５は、分離した下りリンク参照信号から伝搬路の推定値を求め、ＰＤＣＣＨとＰＤＳＣＨの伝搬路の補償を行なう。
【００６９】
復調部１０５３は、ＰＤＣＣＨに対して、ＱＰＳＫ変調方式の復調を行ない、復号化部１０５１へ出力する。復号化部１０５１は、ＰＤＣＣＨの復号を試み、復号に成功した場合、復号した下りリンク制御情報を上位層処理部１０１に出力する。復調部１０５３は、ＰＤＳＣＨに対して、ＱＰＳＫ、１６ＱＡＭ、６４ＱＡＭ等の下りリンク制御情報で通知された変調方式の復調を行ない、復号化部１０５１へ出力する。復号化部１０５１は、下りリンク制御情報で通知された符号化率に対する復号を行い、復号したデータ情報を上位層処理部１０１へ出力する。
【００７０】
送信部１０７は、制御部１０３から入力された制御信号に従って、上りリンク参照信号を生成し、上位層処理部１０１から入力されたデータ情報を符号化および変調し、ＰＵＣＣＨ、ＰＵＳＣＨ、および生成した上りリンク参照信号を多重して、送受信アンテナを介して基地局装置３に送信する。
【００７１】
符号化部１０７１は、上位層処理部１０１から入力された上りリンク制御情報、およびデータ情報を、ターボ符号化、畳込み符号化、ブロック符号化等の符号化を行う。変調部１０７３は、符号化部１０７１から入力された符号化ビットをＢＰＳＫ、ＱＰＳＫ、１６ＱＡＭ、６４ＱＡＭ等の変調方式で変調する。また、変調部１０７３は、変調シンボルを空間多重系列数のポートに並び替え、空間多重のための信号の前処理（precoding; プリコーディング）をする。尚、移動局装置１がどのようなプリコーディングをするかは基地局装置３が設定し、基地局装置３が上りリンクグラントにどのようなプリコーディングをするかを示す情報を含めて移動局装置１に送信する。
【００７２】
上りリンク参照信号生成部１０７９は、基地局装置３を識別するためのセル識別子やＰＵＳＣＨの帯域幅などを基に予め定められた規則で求まる、基地局装置３が既知のＣＡＺＡＣ系列を生成する。また、上りリンク参照信号生成部１０７９は、空間多重系列数／直交リソース識別部が識別したＤＭＲＳの直交リソースに従い、ＣＡＺＡＣ系列にサイクリックシフトとオーソゴナルカバーを適用する。
【００７３】
多重部１０７５は、ＰＵＳＣＨの変調シンボルを並列に並び替えてから離散フーリエ変換（Discrete Fourier Transform; DFT）し、離散フーリエ変換をしたＰＵＳＣＨの信号とＰＵＣＣＨの信号と上りリンク参照信号（ＤＭＲＳおよび／またはＳＲＳ）を多重する。尚、このときＰＵＳＣＨのポート毎に異なる直交リソースのＤＭＲＳが時間多重される。
【００７４】
無線送信部１０７７は、多重した信号を逆高速フーリエ変換して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、送受信アンテナに出力して送信する。
【００７５】
＜無線通信システムの動作について＞
図７は、本実施形態に係る基地局装置３の動作の一例を示すフローチャートである。基地局装置３は、移動局装置１から受信したＰＵＳＣＨやＤＭＲＳ、ＳＲＳから伝搬路状況を推定し、移動局装置１がＰＵＳＣＨを送信する際に適用する空間多重系列数を設定し、ＰＵＳＣＨと時間多重され送信されるＤＭＲＳの直交リソースを割り当てる（ステップＳ１００）。
【００７６】
基地局装置３は、ステップＳ１００で割り当てた空間多重系列数とＤＭＲＳの直交リソースから、ＤＭＲＳの直交リソースを示す情報に配置するコードワードを選択し(ステップＳ１０１)、選択したコードワードを含む直交リソースを示す情報と、空間多重系列数を示す情報を生成する（ステップＳ１０２）。基地局装置３は、生成した直交リソースを示す情報と空間多重系列数を示す情報を上りリンクグラントに含め、ＰＤＣＣＨで送信する（ステップＳ１０３）。
【００７７】
図８は、本実施形態に係る移動局装置１の動作の一例を示すフローチャートである。移動局装置１は、基地局装置３が送信した上りリンクグラントを受信し（ステップS２００）、上りリンクグラントに含まれる空間多重系列数を示す情報からＰＵＳＣＨの送信に用いる空間多重系列数を識別し（ステップＳ２０１）、識別した空間多重系列数と上りリンクグラントに含まれるＤＭＲＳに用いる直交リソースを示す情報とからＤＭＲＳに用いる直交リソースを識別する（ステップＳ２０２）。移動局装置１は、ＰＵＳＣＨを識別した空間多重系列数で空間多重をし、ＰＵＳＣＨの各ポートに前記識別した直交リソースのＤＭＲＳを多重し、基地局装置３に送信する（ステップＳ２０３）。
【００７８】
このように、本実施形態によれば、基地局装置３は、移動局装置１がＰＵＳＣＨを送信する際に用いるデータの空間多重系列数（ｒａｎｋ）を設定し、移動局装置１がＰＵＳＣＨと共に送信する参照信号（ＤＭＲＳ）に用いる直交リソースを設定し、前記設定した直交リソースと前記設定した空間多重系列数に基づいて直交リソースを示す情報（第１制御情報）に配置するコードポイントを選択し、移動局装置１に少なくとも直交リソースを示す情報と空間多重系列数を示す情報（第２制御情報）を含む下りリンク制御情報（上りリンクグラント）を送信する。
【００７９】
また、移動局装置１は、基地局装置３が送信した下りリンク制御情報（上りリンクグラント）を受信し、上りリンクグラントに含まれる直交リソースを示す情報と空間多重系列数を示す情報から基地局装置３に設定された参照信号（ＤＭＲＳ）に用いる直交リソースを選択し、選択した直交リソースを適用して参照信号（ＤＭＲＳ）を生成し、これをＰＵＳＣＨとともに基地局装置３へ送信する。これにより、基地局装置３が移動局装置１に割り当てたＤＭＲＳの直交リソースを、従来と同じＰＤＣＣＨのオーバーヘッドを保ったまま柔軟に通知することができる。
【００８０】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【００８１】
尚、上述した実施形態における移動局装置１、基地局装置３の一部、または全部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。尚、ここでいう「コンピュータシステム」とは、移動局装置１、または基地局装置３に内蔵されたコンピュータシステムであって、ＯＳや周辺機器等のハードウェアを含むものとする。
【００８２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００８３】
また、上述した実施形態における移動局装置１、基地局装置３の一部、または全部を典型的には集積回路であるＬＳＩとして実現してもよい。移動局装置１、基地局装置３の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【００８４】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００８５】
１（１Ａ、１Ｂ、１Ｃ）  移動局装置
３  基地局装置
１０１  上位層処理部
１０３  制御部
１０５  受信部
１０７  送信部
３０１  上位層処理部
３０３  制御部
３０５  受信部
３０７  送信部
３０９  伝搬路測定部
１０１１  無線リソース制御部
１０１３  空間多重系列数／直交リソース識別部
１０１５  記憶部
１０５１  復号化部
１０５３  復調部
１０５５  多重分離部
１０５７  無線受信部
１０７１  符号化部
１０７３  変調部
１０７５  多重部
１０７７  無線送信部
１０７９  上りリンク参照信号生成部
３０１１  無線リソース制御部
３０１３  空間多重系列数／直交リソース設定部
３０１５  記憶部
３０５１  復号化部
３０５３  復調部
３０５５  多重分離部
３０５７  無線受信部
３０７１  符号化部
３０７３  変調部
３０７５  多重部
３０７７  無線送信部
３０７９  下りリンク参照信号生成部
【図１】
0005570567.tif 000002
【図２】
0005570567.tif 000003
【図３】
0005570567.tif 000004
【図４】
0005570567.tif 000005
【図５】
0005570567.tif 000006
【図６】
0005570567.tif 000007
【図７】
0005570567.tif 000008
【図８】
0005570567.tif 000009